(57)【要約】【課題】通信端末を用いた通話中に通信端末の視認や操作を可能にすると共に、通話を行いやすくする通信端末載置台を提供することを目的とする。【解決手段】通信端末４０を載置する載置台本体１０と、通話者に通話内容を入出力可能な受話器２０とからなる通信端末載置台１であって、載置台本体の上面には、受話器を保持する受話器受け部と、通信端末４０のタッチパネル式表示画面上で少なくとも通話先を指定するボタン４１を表示する際に、ボタン表示が上面となるように通信端末を係止する通信端末固定溝部１１とを備えると共に、受話器２０の音声出力手段及び音声入力手段と、通信端末４０とを接続する接続手段３０とを備える。【選択図】図１
2013251585.tif 000002
【特許請求の範囲】
【請求項１】
通信端末を載置する載置台本体と、通話者に受話内容を出力する音声出力手段及び、通話者の発話内容を入力する音声入力手段を備えた受話器とからなる通信端末載置台であって、
該載置台本体の上面には、
該受話器を保持する受話器受け部と、
該通信端末のタッチパネル式表示画面上で少なくとも通話先を指定するボタンを表示する際に、該ボタン表示が上面となるように該通信端末を係止する通信端末固定溝部と
を備えると共に、
該受話器の音声出力手段及び音声入力手段と、該通信端末とを接続する接続手段と
を備えたことを特徴とする通信端末載置台。
【請求項２】
前記受話器受け部において、
前記受話器を保持した際に受話器が入にする第１スイッチ手段を備え、
該第１スイッチ手段の入又は切の少なくともいずれかの情報を、前記接続手段で接続している通信端末に通知する第１スイッチ状態通知手段を備えた
請求項１に記載の通信端末載置台。
【請求項３】
前記載置台本体に少なくとも受話内容を出力するスピーカ手段と、
該受話器を前記受話器受け部に保持させた状態で、該受話器の上面となる位置に第２スイッチ手段と、
該第２スイッチ手段の入又は切の少なくともいずれかの情報を、前記接続手段で接続している通信端末に通知する第２スイッチ状態通知手段
とを備え、
前記第１スイッチ手段が入の状態で該第２スイッチ手段を入にすると、受話内容を該スピーカ手段から出力する
請求項１又は２に記載の通信端末載置台。
【請求項４】
前記通信端末載置台において、
前記載置台本体の下面の略隅部に少なくとも３個の折り畳み可能なスタンド体を配設し、前記通信端末の画面を少なくとも２方向に傾斜可能にした
請求項１に記載の通信端末載置台。
【請求項５】
前記請求項１ないし４に記載の通信端末載置台と、
前記接続手段で接続されて前記通信端末固定溝部に配置された通信端末と
からなる通信端末組込装置。
【発明の詳細な説明】
【技術分野】
【０００１】
本発明は、受話器を備えた通信端末載置台に関し、特に通信端末を用いた通話中に、通信端末の画面の視認や操作に優れた技術を提供するものである。
【背景技術】
【０００２】
近年、携帯電話機の機能が高度化し、インターネットへの接続機能や映像によるテレビ電話機能など、パソコンに匹敵する機能を備えるようになっている。特に、Apple Computer,Inc.（登録商標）製のiphoneや、Android（登録商標）搭載端末が販売されたことにより、通話機能を備えた通信端末の普及が進んだ。
【０００３】
このような通信端末において、通話時は通常の携帯電話機のように使用者の頭部を通信端末に近づけて会話するため、画面を視認することができない問題がある。特に電話番号をメモする際など、通信端末を操作できないことは、使用性を損なう原因となっている。
今後、ますます通信端末が高機能化する中で、通話と同時に様々な処理を行うようになると予想されることから、通話のしやすさと、操作のしやすさの両立が大きな課題となる。
【０００４】
従来の通信端末において通話中に操作を行う方法としては、マイク付きのイヤフォンを接続したり、相手の音声をスピーカから出力して頭部から通信端末を離して通話する方法がある。
しかし、前者の場合には、イヤフォンを耳に装着する手間があり、高齢者など所作に時間がかかる者にとって扱いにくい問題がある。また、後者の場合には、通話内容が周囲の者に聞かれてしまう問題がある。
【０００５】
本発明に関連する従来技術としては、特許文献１〜５が開示されている。
特許文献１は、携帯電話に来た電話を変換して固定ネットワーク電話機で聴いて通話を行えるようにする携帯電話と固定ネットワーク電話の変換装置に関し、携帯電話を嵌装するクレイドルを既存の電話機と別に備える構成を提案している。
特許文献２は、携帯電話機が有する機能を固定電話機で使用できるようにするとともに、携帯電話機の操作性を向上させることができる固定電話機に関し、電話機に携帯電話挿入部を備える構成を提案している。
【０００６】
特許文献３は、固定電話としても携帯電話としても用いることが可能なハイブリッド型ＩＰ電話機に関し、ＩＰネットワークに接続可能な携帯端末を接続する携帯接続部を備えた構成を提案している。
特許文献４は、携帯電話機を家庭内等で使用する際に、携帯電話機と一緒に使用する携帯電話機用送受話アダプタに関し、電話機用のハンドセットと略同じ形状のアダプタに携帯電話機を装着する構成を提案している。
【先行技術文献】
【特許文献】
【０００７】
【特許文献１】特開２００１−３３９４８６号
【特許文献２】特開２００３−１３４１９５号
【特許文献３】特開２００５−３４１１５７号
【特許文献４】特開２００６−３２５１５８号
【発明の概要】
【発明が解決しようとする課題】
【０００８】
上記従来技術の特許文献１〜３は、従来の固定電話機と携帯電話機とを統合して利用する技術であり、特許文献４は携帯電話機での通話をしやすくする技術である。いずれの技術でも、携帯電話機の操作を容易にするものではない。また、特許文献４の技術では、携帯電話機用送受話アダプタに携帯電話機を装着するため、重量が大きくなり、通話しにくい問題もある。
【０００９】
本発明は上記従来技術に鑑みて創出されたものであり、通信端末を用いた通話中に通信端末の視認や操作を可能にすると共に、通話を行いやすくする通信端末載置台を提供することを目的とする。
【課題を解決するための手段】
【００１０】
上記課題を解決するため本発明は、次のような通信端末載置台を提案する。
すなわち、通信端末を載置する載置台本体と、通話者に受話内容を出力する音声出力手段及び、通話者の発話内容を入力する音声入力手段を備えた受話器とからなる通信端末載置台であって、載置台本体の上面には、受話器を保持する受話器受け部と、通信端末を係止する通信端末固定溝部を備える。
通信端末固定溝部は、通信端末のタッチパネル式表示画面上で少なくとも通話先を指定するボタン、例えばダイヤルパッドや住所録リストなどを表示している際に、それらのボタン表示が上面となるように通信端末を係止することを特徴とする。
そして、通信端末載置台に、受話器の音声出力手段及び音声入力手段と、該通信端末とを接続する接続手段とを備え、通信端末単体での通話に替えて受話器による通話を可能にする。
【００１１】
上記の受話器受け部において、受話器を保持した際に受話器が入にする第１スイッチ手段を備え、この第１スイッチ手段の入又は切の少なくともいずれかの情報を、接続手段で接続している通信端末に通知する第１スイッチ状態通知手段を備えることもできる。
【００１２】
載置台本体に少なくとも受話内容を出力するスピーカ手段と、受話器を受話器受け部に保持させた状態で、受話器の上面となる位置に第２スイッチ手段と、この第２スイッチ手段の入又は切の少なくともいずれかの情報を、接続中の通信端末に通知する第２スイッチ状態通知手段とを備え、第１スイッチ手段が入の状態で第２スイッチ手段を入にすると、受話内容をスピーカ手段から出力する構成でもよい。
【００１３】
本発明の通信端末載置台において、載置台本体の下面の略隅部に少なくとも３個の折り畳み可能なスタンド体を配設し、前記通信端末の画面を少なくとも２方向に傾斜可能にしてもよい。
【００１４】
本発明は上記のいずれかに記載の通信端末載置台と、上記接続手段で接続されて通信端末固定溝部に配置された通信端末とからなる通信端末組込装置として提供することもできる。
【発明の効果】
【００１５】
本発明は、以上の構成により次のような効果を奏する。
まず、載置台本体の上面に受話器と通信端末を配置することにより、通常の電話機と同様の外観を有するので、携帯電話の扱いに不慣れな者が通信端末を容易に扱うことのできる通信端末載置台を提供することができる。
特に、本発明では通信端末のタッチパネル式表示画面を上面に配置するので、この画面にダイヤルボタンを表示することにより、別にダイヤルボタンを設ける必要がなく、小型で、簡便かつ低価格な通信端末載置台を提供することができる。
受話器には少なくとも音声入力手段と音声出力手段を備えるだけのシンプルな構成であるので、通信端末に比しても軽量化が可能で、通話時の良好な使用性を実現できる。同時に、通信端末と受話器が切り離されることで、通話しながらの通信端末の視認や操作が自在に行える。
【００１６】
第１スイッチ手段及び第１スイッチ状態通知手段を備えることにより、通話者が受話器を取ることを通信端末に通知することができるので、通信端末と連動して通常の電話機と同様の手順で通話を開始したり終了することができる。
【００１７】
また、第２スイッチ手段、第２スイッチ状態通知手段及びスピーカ手段を備えることにより、受話器を置いた状態で、受話器上面の第２スイッチ手段を入にし、スピーカ手段を用いた音声の出力を行うことができる。
【００１８】
スタンド体を備えて通信端末の画面を２方向以上に傾斜させることができるので、様々な方向に対応して表示できる通信端末に合わせて画面を傾斜させた状態で保持できる。表示画面において写真や動画などを再生する際に用いれば、フォトスタンドと同様の機能を持たせることもできる。
【図面の簡単な説明】
【００１９】
【図１】本発明に係る通信端末載置台と載置した通信端末の斜視図である。
【図２】本発明に係る通信端末載置台の正面図である。
【図３】本発明に係る通信端末載置台において受話器を外した状態の正面図である。
【図４】本発明に係る通信端末載置台の背面図である。
【図５】本発明に係る通信端末載置台の左側面図である。
【図６】本発明に係る通信端末載置台の右側面図である。
【図７】本発明に係る通信端末載置台の平面図である。
【図８】本発明に係る通信端末載置台の底面図である。
【発明を実施するための形態】
【００２０】
以下、本発明の実施形態を、図面に示す実施例を基に説明する。なお、実施形態は下記に限定されるものではない。
図１は本発明の通信端末載置台（以下載置台）（１）と、載置した通信端末の状態を示す斜視図である。図示のように、載置台（１）は、略平板状の本体（１０）と受話器（２０）、載置台（１）と通信端末（４０）とを接続する接続ケーブル（３０）とから構成される。
【００２１】
略平板状の本体（１０）は受話器（２０）と通信端末（４０）とを上面に配置するのに最小限の面積とし、通信端末（４０）のタッチパネル式表示画面上でダイヤルパッド（４１）を表示すると、通常の電話機と同様の外観を有するようにしている。
高機能な通信端末の画面を有効に活用することによって、従来技術のように別にダイヤルボタンを設ける必要がなく、省スペースな設置が可能である。
【００２２】
図２には、載置台（１）の正面図を、図３には、同正面図において受話器（２０）を外した状態を示す。また、図４は背面図、図５は左側面図、図６は右側面図、図７は平面図、図８は底面図である。
載置台（１）の上面には、正面視において通信端末（４０）の外形の一部と合致する通信端末固定溝部（１１）を抉設する。本実施例においては通信端末（４０）の左側面に当接する左辺（１１ａ）、右側面に当接する右辺（１１ｂ）、下端面に当接する下辺（１１ｃ）の３辺からなる通信端末固定溝部（１１）によって通信端末（４０）が動かないように係止する。
一方、通信端末の上端面側は開放端（１１ｅ）とすることで、上端側から通信端末（４０）を該溝部（１１）に着脱やすく構成している。
【００２３】
通信端末（４０）を安定的に固定する観点から、通信端末固定溝部（１１）は、本実施例のように少なくとも通信端末（４０）の３辺以上を係止するように構成することが望ましい。本実施例では、載置台（１）と通信端末（４０）との摩擦により、通信端末（４０）の表示画面上を指で操作しても上端側にも摺動することはないが、摩擦が十分でない組み合わせを用いる場合には、全周を溝部と当接させて完全に係止する構成でもよい。
【００２４】
通信端末固定溝部（１１）の深さは、図７の一点鎖線で示すように、通信端末（４０）の厚みよりも小さくし、通信端末（４０）が上面に突出するように構成している。これによって通信端末（４０）の下端側の突出部分に手をかけて上端側にスライドさせることで、簡便に通信端末（４０）を取り出すことができる。
【００２５】
なお、通信端末固定溝部（１１）の深さを通信端末（４０）の厚みと同一として載置台（１）上面をフラットに構成し、意匠性を高めることもできる。また、通信端末固定溝部（１１）の深さを通信端末（４０）の厚みよりも深くすることで、使用者が通信端末周囲の載置台（１）上に手を置いて、通信端末（４０）の表示画面上を操作しやすくすることもできる。
【００２６】
さらに、通信端末固定溝部（１１）の上端又は下端部など、通信端末（４０）の画面上で直接操作を行わない部位の溝部を深く抉設して、通信端末（４０）を取り出す際には、その部位を下方に押下することで通信端末の反対側が隆起して取り出しやすくなるように構成してもよい。
【００２７】
通信端末固定溝部の下辺（１１ｃ）には、通信端末（４０）の充電用のケーブルを通すための電源コード溝部（１１ｄ）を設け、通信端末（４０）の載置時に通電可能としている。電源コード溝部（１１ｄ）は載置する通信端末（４０）におけるコネクタ位置に応じて任意の位置に設けることができる。
【００２８】
通信端末（４０）と載置台（１）とは接続手段である接続ケーブル（３０）で接続されている。本実施例において、接続ケーブル（３０）には、通信端末（４０）から出力されるステレオ音声の左右信号線と、通信端末（４０）に入力するマイク信号線及びグランド線の４本が通っている。
本発明における接続手段としては、有線の接続ケーブル（３０）に限らず、ブルートゥース（登録商標）などの無線通信による方法でもよい。
【００２９】
本発明では、通常の電話機と同様の受話器（２０）を備えており、図３に示すように、受話器（２０）を保持する受話器受け部（１２）が本体（１０）の上面に設けられている。受話器受け部（１２）は、受話器（２０）の両端が嵌合するように形成された凹部（１２ａ）（１２ｂ）である。
【００３０】
そして、受話器（２０）の音声出力手段である受話器スピーカ（２２）に左右信号線が、音声入力手段であるマイク部（２３）にマイク信号線が、それぞれ結線され、受話器（２０）を用いた通話が可能である。
本実施例では、接続ケーブル（３０）の接続時には音声の入出力が通信端末から受話器（２０）に切り替えられる。
【００３１】
本発明では電話の着信時への応答や、通話を切る場合に通信端末（４０）の画面上で操作を行ってもよいが、載置台（１）にスイッチ手段を備えて、この操作によって少なくとも通話にかかる状態を切り替えるようにしてもよい。
一例として本実施例では、載置台（１）の凹部（１２ａ）の内側に第１スイッチ手段であるフックスイッチ（１３）と、受話器（２０）を置いた時に上面側となる位置に第２スイッチ手段である受話器スイッチ（２１）とを設けている。
【００３２】
フックスイッチ（１３）は、図３に示されるように受話器（２０）を置いた状態では押下（入）する状態であり、受話器（２０）を上げると、フックスイッチ（１３）が開放されて切状態となる。
従って、最も簡単な構成としては、フックスイッチ（１３）が切になると特定の信号線を接地させる等の方法で、通信端末（４０）に通知し、通信端末（４０）のソフトウェア上で電話のオフフック状態にする。フックスイッチ（１３）が入になると接地を解除して通信端末（４０）に通知し、通信端末（４０）のソフトウェア上で電話のオンフック状態にする。
本構成によれば、使用者は通常の電話と同様の操作性により通信端末（４０）を用いた通話を行うことができる。
【００３３】
受話器スイッチ（２１）でも同様の構成をとることができる。例えば、受話器スイッチ（２１）を押下（入）することで、オフフック状態として電話に応答する一方、受話器スイッチ（２１）を切れば、オンフック状態とすることができる。
【００３４】
本実施例では、載置台（１）にスピーカ（１４）を備えて、音声を出力するスピーカを切り替えることもできる。
すなわち、受話器（２０）を置いた状態、すなわちフックスイッチ（１３）が入の時でも受話器スイッチ（２１）を押下（入）にすると、音声がスピーカ（１４）から出力される。音声入力はマイク部（２３）から行うことで、いわゆるハンズフリーの通話が可能である。受話器スイッチ（２１）を切にすることで再び、受話器スピーカ（２２）への出力に切り替わる。
【００３５】
上記した各スイッチの作用は任意に変更することができる。スイッチの入、切の状態を通信端末（４０）に通知することで、通信端末（４０）におけるソフトウェアに連動した動作が可能となる。
本発明は通信端末（４０）の操作を補助する外部スイッチを備えた構成を提供するものである。
【００３６】
図４に示すように載置台（１）の背面には、机上等で本体（１０）を水平に設置するための脚部（１５）と共に、本体（１０）を傾斜させるスタンド部（１６ａ）〜（１６ｃ）を備える。
スタンド部（１６ａ）〜（１６ｃ）は、一端を枢支されて起伏自在であり、載置台（１）の隅部に３個設けられている。
【００３７】
通信端末（４０）の上端側にあるスタンド部（１６ａ）（１６ｂ）だけを起こすことで、通信端末の下端側に向けて下がる向きに傾斜する。このような状態では、載置台（１）を机の奥方に設置した場合などに画面表示の視認や操作が行いやすくなる。また、通信端末（４０）の画面で縦長の画像を表示する場合などに、閲覧に適する。
【００３８】
一方、通信端末（４０）の右側にあるスタンド部（１６ｂ）（１６ｃ）だけを起こすことで、通信端末の左側に向けて下がる向きに傾斜する。近年、通信端末（４０）上で写真や動画の閲覧、テレビ電話の画像表示などを行うことが一般的になっており、映像の多くは横長の表示が適する。このような場合に、通信端末を左右方向に傾斜させることで画面を横方向とした閲覧に好適である。
【００３９】
以上の構成によれば、受話器を備えて通話が行いやすい載置台（１）として提供するだけでなく、通話中も最適な向きで通信端末（４０）の画面の視認や操作を行うことができる。また、通話を行わない場合には電子フォトフレームとして使用したり、映像の閲覧用の台として供することもできる。
【００４０】
本発明は、必要最小限の面積で構成し、従来の電話機と同等以下の設置スペースしか要さないため、既存の電話機に代替して載置台（１）を設置することで、通信端末の様々な機能を活用することができる。
なお、上記載置台（１）単体として提供するに限らず、分離可能な通信端末（４０）を組み合わせた通信端末組込装置として提供してもよい。
【００４１】
本発明において、音声出力手段は、上記のようなスピーカに限らず、使用者に対して音声を伝達可能な任意の手段を用いることができる。例えば、骨伝導手段を備えて出力する音声を振動で使用者に伝える構成でもよい。この場合、骨伝導により聞き取りが可能な聴覚障害者は、載置台（１）を用いることで通信端末（４０）による通話が可能となる。
【００４２】
本発明の載置台（１）は、実施例のような略平板状の矩形の本体（１０）に限らず、任意の形状を用いることができる。例えば、正面視において円形としてもよいし、あるいは黒電話を模した全体形状としてダイヤル部分に通信端末（４０）を装着するような構成でもよい。
【符号の説明】
【００４３】
１  通信端末載置台
１０  本体
１１  通信端末固定溝部
１１ａ  溝部左辺
１１ｂ  溝部右辺
１１ｃ  溝部下辺
１１ｄ  電源コード溝部
１１ｅ  溝部開放端
２０  受話器
２１  受話器スイッチ
３０  接続ケーブル
４０  通信端末
４１  ダイヤルパッド表示
【図１】
2013251585.tif 000003
【図２】
2013251585.tif 000004
【図３】
2013251585.tif 000005
【図４】
2013251585.tif 000006
【図５】
2013251585.tif 000007
【図６】
2013251585.tif 000008
【図７】
2013251585.tif 000009
【図８】
2013251585.tif 000010